(57)【要約】【課題】  電源状態のオンオフが切り替えられる無線通信機能部１２、１３、１４を備えた無線通信端末装置１と、当該無線通信機能部の電源状態のオンオフを切り替える機能を備えた無線通信端末制御装置２とを接続して構成される無線通信端末システムで、低消費電力化を図る。【解決手段】  無線通信端末装置の無線通信機能部には、基地局装置と無線により通信する無線通信手段１２、１３と、無線通信端末制御装置により電源状態がオンからオフへ切り替えられるときにおける無線通信相手である基地局装置に関する情報を記憶する基地局装置情報記憶手段１３、１４と、無線通信端末制御装置により電源状態がオフからオンへ切り替えられた場合に記憶された基地局装置に関する情報により特定される基地局装置を無線通信相手の候補とする無線通信相手基地局装置決定手段１３を備えた。【選択図】  図１
2005278006.tif 000002
【特許請求の範囲】
【請求項１】
電源状態のオンオフが切り替えられる無線通信機能部を備えた無線通信端末装置と、無線通信端末装置の無線通信機能部の電源状態のオンオフを切り替える機能を備えた無線通信端末制御装置とを接続して構成される無線通信端末システムにおいて、
無線通信端末装置の無線通信機能部には、基地局装置と無線により通信する無線通信手段と、
無線通信端末制御装置により電源状態がオンからオフへ切り替えられるときにおける無線通信相手である基地局装置に関する情報を記憶する基地局装置情報記憶手段と、
無線通信端末制御装置により電源状態がオフからオンへ切り替えられた場合に、基地局装置情報記憶手段に記憶された基地局装置に関する情報により特定される基地局装置を無線通信相手の候補とする無線通信相手基地局装置決定手段と、を備えた、
ことを特徴とする無線通信端末システム。
【発明の詳細な説明】
【技術分野】
【０００１】
本発明は、無線通信端末装置と無線通信端末制御装置とを接続して構成される無線通信端末システムに関し、特に、低消費電力化を図る無線通信端末システムに関する。
【背景技術】
【０００２】
従来、パケット無線機はパケット制御部（パケット無線制御器）より間欠的に電源制御を行っている。また、パケット制御部も無線電源制御に同期して間欠的に動作クロックを停止してスタンバイ状態にして低消費電力化を行っている。
しかしながら、パケット制御部は自己の起動タイミング及びパケット無線機を起動するためにタイマを持たなければならないため、電源を落とすことはできず、スタンバイ電流が常時消費するといった問題があった。
【０００３】
これに対して、強制的にこの問題を解決するために電源を落とすと、パケット無線機及びパケット制御部は再度接続先となる基地局装置をサーチして位置登録するなど、逆に平均消費電流が多くなるといった問題があった。特に、移動端末ではなく固定設置型の機器では、その周辺の基地局装置が複数存在した場合などにおいて電源オフオンで別な基地局装置を捕捉するような場合などには、位置登録が必要となって不要な電波が発生するといった問題により、電源を頻繁に落とすことはできなかった。
【発明の開示】
【発明が解決しようとする課題】
【０００４】
上記従来例で示したように、従来のパケット無線通信端末システムでは、パケット無線機及びパケット制御部（パケット無線制御器）の低消費電力化を図ることが不十分であった。
本発明は、このような従来の事情に鑑み為されたもので、低消費電力化を図ることができる無線通信端末システムを提供することを目的とする。
【課題を解決するための手段】
【０００５】
上記目的を達成するため、本発明に係る無線通信端末システムでは、電源状態のオンオフが切り替えられる無線通信機能部を備えた無線通信端末装置と、無線通信端末装置の無線通信機能部の電源状態のオンオフを切り替える機能を備えた無線通信端末制御装置とを接続して構成され、次のような構成とした。
【０００６】
すなわち、無線通信端末装置の無線通信機能部では、無線通信手段が、基地局装置と無線により通信する。基地局装置情報記憶手段が、無線通信端末制御装置により電源状態がオンからオフへ切り替えられるときにおける無線通信相手である基地局装置に関する情報を記憶する。そして、無線通信相手基地局装置決定手段が、無線通信端末制御装置により電源状態がオフからオンへ切り替えられた場合に、基地局装置情報記憶手段に記憶された基地局装置に関する情報により特定される基地局装置を、無線通信相手の候補とする。
【０００７】
従って、無線通信端末装置の無線通信機能部では、電源状態がオンからオフへ切り替えられるときに通信中の基地局装置に関する情報を記憶し、電源状態がオフからオンへ切り替えられるときに当該情報により特定される基地局装置を通信相手の候補とするため、無線通信機能部の電源状態をオフにする構成において、オンへ戻ったときにおける基地局装置との通信処理を効率化することができ、全体として、低消費電力化を図ることができる。
【０００８】
ここで、基地局装置に関する情報としては、種々な情報が用いられてもよく、例えば、基地局装置を特定することが可能な情報が用いられ、例えば、無線通信に使用する周波数の情報が含まれる。
また、基地局装置情報記憶手段としては、例えば、不揮発性メモリを用いて構成される。
【０００９】
また、或る基地局装置を無線通信相手の候補とした場合には、その後、例えば、当該基地局装置を実際に無線通信する相手としてもよく、或いは、当該基地局装置を実際に無線通信する相手とはせずに、当該基地局装置以外の基地局装置を無線通信相手としてもよい。
【００１０】
また、基地局装置情報記憶手段が、無線通信端末制御装置により電源状態がオンからオフへ切り替えられるときにおける無線通信相手である基地局装置に関する情報を記憶する態様としては、例えば、無線通信端末制御装置により電源状態がオンからオフへ切り替えられることに応じてその時点で無線通信相手である基地局装置に関する情報を記憶してもよく、或いは、無線通信端末制御装置により電源状態がオンからオフへ切り替えられるときより以前から無線通信相手である基地局装置に関する情報を記憶していてもよい。
【００１１】
以下で、更に、本発明に係る構成例を示す。
一構成例として、無線通信相手基地局装置決定手段は、無線通信端末制御装置により電源状態がオフからオンへ切り替えられた場合に、基地局装置情報記憶手段に記憶された基地局装置に関する情報により特定される基地局装置と同期処理を行い、同期が確立されたときに、当該基地局装置を（実際の）無線通信相手とする。
【００１２】
一構成例として、無線通信相手基地局装置決定手段は、無線通信端末制御装置により電源状態がオフからオンへ切り替えられた場合に、基地局装置情報記憶手段に記憶された基地局装置に関する情報により特定される基地局装置と同期処理を行い、同期が確立されないときに、無線通信相手とする基地局装置を検索するための処理を実行する。
【００１３】
一構成例として、パケット通信が行われる。
一構成例として、無線通信端末装置の無線通信機能部の電源状態が間欠的にオンオフに切り替えられる。
一構成例として、無線通信端末装置の無線通信機能部の電源は、無線通信端末制御装置から供給される。
【００１４】
一構成例として、無線通信端末装置の無線通信機能部は、無線機能と、無線制御機能と、メモリ機能とから構成され、具体的には、無線機能であるパケット無線機と、無線制御機能であるパケット無線制御器と、メモリ機能である不揮発メモリから構成される。
一構成例として、無線通信端末装置は、パケット無線通信端末装置である。
一構成例として、無線通信端末制御装置は、データ端末装置（ＤＴＥ：Data Terminal Equipment）を用いて構成される。
【発明の効果】
【００１５】
以上説明したように、本発明に係る無線通信端末システムによると、電源状態のオンオフが切り替えられる無線通信機能部を備えた無線通信端末装置と、無線通信端末装置の無線通信機能部の電源状態のオンオフを切り替える機能を備えた無線通信端末制御装置とを接続して構成され、無線通信端末装置の無線通信機能部では、基地局装置と無線により通信し、無線通信端末制御装置により電源状態がオンからオフへ切り替えられるに際して通信している基地局装置に関する情報を記憶し、そして、無線通信端末制御装置により電源状態がオフからオンへ切り替えられた場合に記憶された基地局装置に関する情報により特定される基地局装置を無線通信相手とする基地局装置の候補とするようにしたため、無線通信機能部の電源状態をオフにする構成において、オンへ戻ったときにおける基地局装置との通信処理を効率化することができ、全体として、低消費電力化を図ることができる。
【発明を実施するための最良の形態】
【００１６】
本発明に係る一実施例を図面を参照して説明する。
図１には、本発明を適用した無線通信端末システム（パケット無線通信端末システム）の構成例を示してある。
本例の無線通信端末システムは、無線通信端末装置（パケット無線通信端末装置）１とデータ端末装置（ＤＴＥ）２とを信号線３及びリファレンス電源ライン４を介して接続して構成されている。
【００１７】
無線通信端末装置１には、アンテナ１１と、パケット無線機１２と、パケット無線制御器１３と、不揮発メモリ１４と、電源制御部１５が備えられている。
本例では、パーソナルコンピュータなどから構成されるＤＴＥ２と無線通信端末装置１との間でデータの送受信及び電源の供給を行い、無線通信端末装置１が基地局装置（図示せず）との間で無線によりパケット通信を行う。
【００１８】
ＤＴＥ２は、無線通信端末装置１との間で基地局装置とのデータ通信の元となるデータの送受信を行う。また、無線通信端末装置１に対して電源オフの低消費電力化を実行する場合に、パケット無線制御器１３へ任意のタイミングで信号により電源オフ低消費電力モードの起動、停止の制御を行う。また、電源制御部１５へのリファレンス電源の停止、起動を実行する。
【００１９】
信号線３は、パケット無線制御器１３とＤＴＥ２との間でデータ信号を伝送する。
リファレンス電源ライン４は、ＤＴＥ２から電源制御部１５へ、電源制御部１５の電源を生成する元となる電源を伝送する。
【００２０】
無線通信端末装置１について説明する。
アンテナ１１は、無線信号を送受信する。
パケット無線機１２は、アンテナ１１を用いて、パケット通信する基地局装置と無線通信を行う。
電源制御部１５は、パケット無線制御器１３へ電源を供給する。
【００２１】
パケット無線制御器１３は、パケット無線機１２へ電源を供給し、パケット無線機１２を用いて基地局装置との無線通信を行い、また、ＤＴＥ２との間でデータを送受信し、不揮発メモリ１４を制御する。例えば、基地局装置との送受信無線区間データを生成し、ＤＴＥ２とのデータフォーマットでデータ通信を行う。また、パケット無線機１２の電源供給を行う。また、位置登録している基地局装置の自局チャネル周波数をＤＴＥ２から指定され及び電源オフ低消費電力の特殊モードをＤＴＥ２から指定された場合に、自局基地局情報などの自局チャネル情報を不揮発メモリ１４に書き込む。また、電源がオフ（ＯＦＦ）からオン（ＯＮ）になった場合には、後述する電源オン時の制御フローで制御して待ち受け状態へ移行する。
【００２２】
不揮発メモリ１４は、ＤＴＥ２からの電源オフ低消費電力モードの状態及び基地局装置の自局チャネル情報を格納し、電源オフになっても格納したデータを保持するメモリである。
【００２３】
図２を参照して、本例の無線通信端末装置１により行われる電源オン時の制御フローの一例を示す。なお、本処理は、パケット無線制御器１３により行われる。また、本例では、ＰＤＣ方式のパケット無線方式を例とする。
【００２４】
まず、電源がオンにされると（ステップＳ１）、不揮発メモリ１４内に記憶されている電源オフ低消費電力モードフラグの状態を確認し、電源オフ低消費電力モード起動状態であれば（ステップＳ２）、電源オフされたときの自局チャネルを指定する（ステップＳ３）。そして、指定された自局チャネルに対してフレーム同期及びＳＦ（スーパーフレーム）同期処理を行い（ステップＳ４）、同期が確立されたか否かを判断し（ステップＳ５）、同期が確立された場合には、ＢＣＣＨ（報知情報チャネル）の受信を行う（ステップＳ６）。
【００２５】
一方、指定された自局チャネルに対してフレーム同期及びＳＦ同期処理を行い（ステップＳ４）、同期が確立されたか否かを判断し（ステップＳ５）、同期が確立されなかった場合には、同期確立ができる基地局装置を求めて止まり木チャネルを全チャネルスキャンし（ステップＳ１１）、全チャネルについて受信レベルのテーブルを作成する（ステップＳ１２）。そして、自局受信レベル及び周辺ゾーン受信レベルの検出を実施する（ステップＳ１３）。そして、自局チャネルに対してフレーム同期及びＳＦ同期を確立し（ステップＳ１４）、ＢＣＣＨの受信を行う（ステップＳ６）。
【００２６】
また、電源オフ低消費電力モード起動状態でない場合にも（ステップＳ２）、同様に、止まり木の全チャネルスキャンを実施して（ステップＳ１１）、全チャネルについて受信レベルのテーブルを作成する（ステップＳ１２）。そして、自局受信レベル及び周辺ゾーン受信レベルの検出を実施する（ステップＳ１３）。そして、自局チャネルに対してフレーム同期及びＳＦ同期を確立し（ステップＳ１４）、ＢＣＣＨの受信を行う（ステップＳ６）。
【００２７】
なお、具体的には、上記のように指定された自局チャネルに対してフレーム同期及びＳＦ同期処理を行い（ステップＳ４）、同期が確立されたか否かを判断し（ステップＳ５）、同期が確立されなかった場合や、上記のように電源オフ低消費電力モード起動状態でない場合には（ステップＳ２）、まず、パケット基地局装置の止まり木チャネルの全チャネルをスキャンして、つまり受信電界をモニタして基地局装置の放射電界レベルを測定し（ステップＳ１１）、次に、受信レベルの高い順に全チャネルの受信レベルのテーブルを作成して、一番受信レベルの高いチャネルを自局チャネルとして選択し（ステップＳ１２）、そして、自局受信レベルとその他の止まり木チャネルを周辺ゾーン受信レベルとして検出するように制御する（ステップＳ１３）。そして、フレーム同期及びＳＦ同期処理を行って（ステップＳ１４）、ＢＣＣＨの受信を行う（ステップＳ６）。
【００２８】
上記したＢＣＣＨの受信で、ＢＣＣＨには自局のフレーム構成や周辺ゾーンの情報やフレーム構成などの基本データが入っており、電源オフされる前の最終の位置登録した基地局装置であるかどうか、又は、報知情報が変更されていないかどうかを判定し（ステップＳ６）、同じであれば位置登録はせずに待ち受け状態へ遷移して（ステップＳ９）、間欠受信を行う（ステップＳ１０）。
【００２９】
一方、上記の判定において（ステップＳ６）、新規の基地局装置である場合又は報知情報が変更されている場合には、基地局装置に対して新規に位置登録し（ステップＳ７）、新規な基地局装置に関して自局チャネルの情報を不揮発メモリ１４に記憶する（ステップＳ８）。そして、待ち受け状態へ入り（ステップＳ９）、待ち受け後は、間欠受信の準備が完了したら間欠受信状態へ遷移し（ステップＳ１０）、パケット無線機１２に対して間欠電源制御を行う。
【００３０】
以上のように、本例の無線通信端末システムでは、無線通信端末装置１と、通信データの送受信及び電源セービング制御を行うＤＴＥ２とから構成され、また、無線通信端末装置１は、アンテナ１１と、パケット無線機１２と、パケット無線機１２の制御及びＤＴＥ２端末からの電源セービング情報によりパケット無線制御を行うパケット無線制御器１３と、不揮発メモリ１４と、ＤＴＥ２から供給される電源からパケット無線機１２及びパケット無線制御器１３へ電源を供給する電源制御部１５とから構成される。そして、パケット無線機１２及びパケット無線制御器１３の電源を落とすことで低消費電力化を図る。
【００３１】
また、本例の無線通信端末システムでは、ＤＴＥ２が、通信していないときに無線通信端末装置１に対して電源供給をオン／オフ切り替えし、電源供給オン時にデータ通信を行い、また、パケット無線機１２が、パケット無線基地局装置と通信を行い、また、パケット無線制御器１３が、パケット無線基地局装置の基地局情報を不揮発メモリ１４に格納し、そして、電源オンされたときに不揮発メモリ１４に記憶された基地局情報を元に、所定の条件を満たせば、再び同じ基地局装置に対して同期をとって待ち受け状態へ遷移する。
【００３２】
従って、本例の無線通信端末システムでは、ＤＴＥ２が通信しない時間においてパケット無線制御器１３及びパケット無線機１２に対して電源を落とすことで、無駄なスタンバイ電流及び受信電流などを削減することができる。更に、ＤＴＥ２が通信する場合に、パケット無線制御器１３及びパケット無線機１２の電源を入れることにより、止まり木チャネルの全チャネルスキャンをすることなく、短時間で電源を切る前の基地局装置に対して同期して通信することができる。
【００３３】
これらにより、止まり木チャネルの全チャネルスキャンを行うための消費電流の削減や、基地局装置を捕捉するまでの立ち上がり時間の短縮が可能である。また、電源を切る前の基地局装置を捕捉するため、複数の基地局装置がパケット端末（無線通信端末装置１）の周辺に存在した場合においても、基地局装置の移行を抑止して、位置登録などのための不要電波を削減することや、消費電力の低減が可能である。
【００３４】
なお、本例の無線通信端末システムでは、ＤＴＥ２により、無線通信端末装置１と接続される無線通信端末制御装置が構成されている。
また、本例の無線通信端末装置１では、パケット無線機１２の機能やパケット無線制御器１３の機能や不揮発メモリ１４の機能により、無線通信機能部の機能が構成されている。
【００３５】
また、本例の無線通信端末装置１では、パケット無線機１２及びパケット無線制御器１３がアンテナ１１を用いて基地局装置と無線通信する機能により無線通信手段が構成されており、パケット無線制御器１３が電源オフにされたときの無線通信相手の基地局装置やチャネルを特定する情報を不揮発メモリ１４に記憶する機能により基地局装置情報記憶手段が構成されており、パケット無線制御器１３が電源オンにされたときに不揮発メモリ１４の記憶情報に基づいて前回の電源オン時に無線通信相手であった基地局装置を今回の無線通信相手の候補として実際に無線通信相手とするかどうかを判定して無線通信相手を決定する機能により無線通信相手基地局装置決定手段が構成されている。
【００３６】
以下で、本発明に関する技術の背景を示す。なお、ここで記載する事項は、必ずしも全てが従来の技術であるとは限定しない。
図３には、本発明が適用されていない無線通信端末システムの無線通信端末装置のパケット無線制御器により行われる電源オン時の制御フローの一例を示してある。本例では、ＰＤＣ方式のパケット無線方式を例とする。
同図に示されるように、本制御フローは、概略的には、上記図２に示したステップＳ１の処理、ステップＳ１１〜ステップＳ１４の処理、ステップＳ６及びステップＳ７の処理、ステップＳ９及びステップＳ１０の処理を組み合わせて構成されている。
【００３７】
ここで、本発明に係る無線通信端末装置や無線通信端末制御装置や無線通信端末システムなどの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００３８】
また、本発明に係る無線通信端末装置や無線通信端末制御装置や無線通信端末システムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３９】
【図１】本発明の一実施例に係る無線通信端末システムの構成例を示す図である。
【図２】本発明の一実施例に係る無線通信端末システムにおいて行われる処理の手順の一例を示す図である。
【図３】無線通信端末システムにおいて行われる処理の手順の一例を示す図である。
【符号の説明】
【００４０】
１・・無線通信端末装置、  ２・・データ端末装置（ＤＴＥ）、
３・・信号線、  ４・・リファレンス電源ライン、
１１・・アンテナ、  １２・・パケット無線機、
１３・・パケット無線制御器、  １４・・不揮発メモリ、
１５・・電源制御部、
【図１】
2005278006.tif 000003
【図２】
2005278006.tif 000004
【図３】
2005278006.tif 000005